【手続補正書】
【提出日】平成26年4月14日(2014.4.14)
【手続補正１】
【補正対象書類名】特許請求の範囲
【補正対象項目名】全文
【補正方法】変更
【補正の内容】
【特許請求の範囲】
【請求項１】
コンピュータ支援工学シミュレーションにおいて材料挙動を表す目標曲線に計算曲線を整合させるコンピュータシステムにおいて実行される方法であって、
コンピュータシステムにインストールされたアプリケーションモジュールによって、目標曲線の点のセットである前記目標曲線の定義を受け取るステップと、
複数の制御パラメータを介して計算曲線を生成するよう構成されたコンピュータ支援工学解析モデルを用いて、前記計算曲線の点のセットで定義された前記計算曲線を取得するステップと、
前記目標曲線における２つの隣接点間に位置する目標曲線セグメントのそれぞれの直線セグメント長さを加算することによって前記目標曲線の多角形的な全長を計算するステップと、
前記計算曲線における２つの隣接点間に位置する計算曲線セグメントのそれぞれの直線セグメント長さを加算することによって前記計算曲線の多角形的な全長を計算するステップと、
前記計算曲線の多角的な全長と前記目標曲線の多角的な全長とを比較することによって、前記目標曲線および前記計算曲線のうち、より短い曲線を短曲線として指定し、且つ、より長い曲線を長曲線として指定するステップと、
前記短曲線と前記長曲線の一部分との間の最もよい整合をみつけるために１回以上の部分的に整合させる試行を行うステップであって、前記部分的に整合させる試行のそれぞれは、前記長曲線における２つのマップされた隣接点間の直線セグメントの一部分及び全体の全長が、前記短曲線における対応する直線セグメントの長さと等しくなるように、マップされた点のセットを前記長曲線に配置し、前記部分的に整合させる試行のそれぞれは、前記長曲線の始点からの各オフセットから開始するステップと、
前記マップされた点のセットと前記短曲線の上の対応する点との間の面積に基づく相違測定を用いて、それぞれの前記部分的に整合させる試行の相違を計算するステップと、
前記部分的に整合させる試行のうち、最も小さい相違を有する特定の一つの試行を前記最もよい整合として指定するステップと、
前記計算曲線と前記目標曲線との間の前記最も小さい相違が許容範囲内になるまで前記制御パラメータを調整することによって前記計算曲線を反復的に更新するステップと、
前記制御パラメータを前記コンピュータ支援工学解析モデルとともに、ユーザの指示に応じてコンピュータシステムに連結された記憶装置のファイルに保存するステップと、
を備える方法。
【請求項２】
請求項１に記載の方法であって、ゼロから最大値の範囲にわたる前記各オフセットは、前記目標曲線の多角形的な全長と前記計算曲線の多角形的な全長との間の差に等しい、方法。
【請求項３】
請求項１に記載の方法であって、１回以上の前記部分的に整合させる試行の回数は、前記オフセットの最大値と前記長曲線の多角形的な全長との比に基づいて決められる、方法。
【請求項４】
請求項１に記載の方法であって、前記目標曲線の最小制限範囲を用いて前記目標曲線の点および前記計算曲線の点の座標を規格化するステップをさらに備える、方法。
【請求項５】
請求項１に記載の方法であって、前記マップされた点のそれぞれの座標を、前記短曲線の共通の座標系に変換するステップをさらに備える、方法。
【請求項６】
請求項１に記載の方法であって、前記目標曲線は、材料試料試験において得られる材料の歪み−応力関係曲線である、方法。
【請求項７】
コンピュータ支援工学シミュレーションにおいて材料挙動を表す目標曲線に計算曲線を整合させるシステムであって、
コンピュータ可読コードを記憶するメモリと、
前記メモリに連結される少なくとも１つのプロセッサと、
を備えており、
前記少なくとも１つのプロセッサが前記メモリ内の前記コンピュータ可読コードを実行して、これにより、１つ以上のアプリケーションモジュールに、
前記システムにインストールされた前記１つ以上のアプリケーションモジュールによって、目標曲線の点のセットである前記目標曲線の定義を受け取るオペレーションと、
複数の制御パラメータを介して計算曲線を生成するよう構成されたコンピュータ支援工学解析モデルを用いて、前記計算曲線の点のセットで定義された前記計算曲線を取得するオペレーションと、
前記目標曲線における２つの隣接点間に位置する目標曲線セグメントのそれぞれの直線セグメント長さを加算することによって前記目標曲線の多角形的な全長を計算するオペレーションと、
前記計算曲線における２つの隣接点間に位置する計算曲線セグメントのそれぞれの直線セグメント長さを加算することによって前記計算曲線の多角形的な全長を計算するオペレーションと、
前記計算曲線の多角的な全長と前記目標曲線の多角的な全長とを比較することによって、前記目標曲線および前記計算曲線のうち、より短い曲線を短曲線として指定し、且つ、より長い曲線を長曲線として指定するオペレーションと、
前記短曲線と前記長曲線の一部分との間の最もよい整合をみつけるために１回以上の部分的に整合させる試行を行うオペレーションであって、前記部分的に整合させる試行のそれぞれは、前記長曲線上における２つのマップされた隣接点間の直線セグメントの一部分及び全体の全長が、前記短曲線における対応する直線セグメントの長さ等しくなるように、マップされた点のセットを前記長曲線に配置し、前記部分的に整合させる試行のそれぞれは、前記長曲線の始点からの各オフセットから開始するオペレーションと、
前記マップされた点のセットと前記短曲線の上の対応する点との間の面積に基づく相違測定を用いて、それぞれの前記部分的に整合させる試行の相違を計算するオペレーションと、
前記部分的に整合させる試行のうち、最も小さい相違を有する特定の一つの試行を前記最もよい整合として指定するオペレーションと、
前記計算曲線と前記目標曲線との間の前記最も小さい相違が許容範囲内になるまで前記制御パラメータを調整することによって前記計算曲線を反復的に更新するオペレーションと、
前記制御パラメータを前記コンピュータ支援工学解析モデルとともに、ユーザの指示に応じて前記システムに連結された記憶装置のファイルに保存するオペレーションと、
を実行させる、システム。
【請求項８】
請求項７に記載のシステムであって、ゼロから最大値の範囲にわたる前記各オフセットは、前記目標曲線の多角形的な全長と前記計算曲線の多角形的な全長との間の差に等しい、システム。
【請求項９】
請求項７に記載のシステムであって、前記目標曲線の最小制限範囲を用いて前記目標曲線の点および前記計算曲線の点の座標を規格化するオペレーションをさらに実行させる、システム。
【請求項１０】
方法を実行することによって、コンピュータ支援工学シミュレーションにおいて材料挙動を表す目標曲線に計算曲線を整合させるための、コンピュータが実行可能な命令を有する、コンピュータが読み取り可能な非一時的記憶媒体であって、前記方法は、
コンピュータシステムにインストールされたアプリケーションモジュールによって、目標曲線の点のセットである前記目標曲線の定義を受け取るステップと、
複数の制御パラメータを介して計算曲線を生成するよう構成されたコンピュータ支援工学解析モデルを用いて、前記計算曲線の点のセットで定義された前記計算曲線を取得するステップと、
前記目標曲線における２つの隣接点間に位置する目標曲線セグメントのそれぞれの直線セグメント長さを加算することによって前記目標曲線の多角形的な全長を計算するステップと、
前記計算曲線における２つの隣接点間に位置する計算曲線セグメントのそれぞれの直線セグメント長さを加算することによって前記計算曲線の多角形的な全長を計算するステップと、
前記計算曲線の多角的な全長と前記目標曲線の多角的な全長とを比較することによって、前記目標曲線および前記計算曲線のうち、より短い曲線を短曲線として指定し、且つ、より長い曲線を長曲線として指定するステップと、
前記短曲線と前記長曲線の一部分との間の最もよい整合をみつけるために１回以上の部分的に整合させる試行を行うステップであって、前記部分的に整合させる試行のそれぞれは、前記長曲線における２つのマップされた隣接点間の直線セグメントの一部分及び全体の全長が、前記短曲線における対応する直線セグメントの長さと等しくなるように、マップされた点のセットを前記長曲線に配置し、前記部分的に整合させる試行のそれぞれは、前記長曲線の始点からの各オフセットから開始するステップと、
前記マップされた点のセットと前記短曲線の上の対応する点との間の面積に基づく相違測定を用いて、それぞれの前記部分的に整合させる試行の相違を計算するステップと、
前記部分的に整合させる試行のうち、最も小さい相違を有する特定の一つの試行を前記最もよい整合として指定するステップと、
前記計算曲線と前記目標曲線との間の前記最も小さい相違が許容範囲内になるまで前記制御パラメータを調整することによって前記計算曲線を反復的に更新するステップと、
前記制御パラメータを前記コンピュータ支援工学解析モデルとともに、ユーザの指示に応じてコンピュータシステムに連結された記憶装置のファイルに保存するステップと、
を備える、コンピュータが読み取り可能な非一時的記憶媒体。
【請求項１１】
請求項１０に記載のコンピュータが読み取り可能な非一時的記憶媒体であって、ゼロから最大値の範囲にわたる前記各オフセットは、前記目標曲線の多角形的な全長と前記計算曲線の多角形的な全長との間の差に等しい、コンピュータが読み取り可能な非一時的記憶媒体。
【請求項１２】
請求項１０に記載のコンピュータが読み取り可能な非一時的記憶媒体であって、前記目標曲線の最小制限範囲を用いて前記目標曲線の点および前記計算曲線の点の座標を規格化するステップをさらに備える、コンピュータが読み取り可能な非一時的記憶媒体。